(57)【要約】【課題】  隠蔽葉書の配達中等の取扱時においても、隠蔽紙片が葉書紙片から剥離してしまうおそれがなく、記入欄に記載された内容の機密性を保持でき、さらに郵送された隠蔽葉書の受取り手がミシン目より開封してもミシン目のアンカット部より紙剥けすることなく容易に開封できる隠蔽葉書を提供するものである。【解決手段】  基紙の略中央に設けられた折目線を介して、葉書本体片と隠蔽用紙片とが折り曲げ可能に連接され、隠蔽用紙片には開封用ミシン目が形成され、隠蔽用紙片上に、剥離可能に接着される弱粘着剤層と剥離不能に接着される強粘着剤層が形成され、該層を覆って剥離紙が貼着された構成からなる隠蔽葉書であって、開封用ミシン目が、間欠した切目からなり、該切目が、直線部と斜線部とからなり、直線部の他方の端が、隣接する切目の斜線部の先端と一致するか若しくは少なくとも突き出るように形成されていることを特徴とする。【選択図】        図３
2008073970.tif 000002
【特許請求の範囲】
【請求項１】
基紙の略中央に設けられた折目線を介して、葉書本体片と隠蔽用紙片とが折り曲げ可能に連接され、前記葉書本体片には前記折目線にて二つ折りされ内側となる面に所定事項を記入する記入欄が設けられ、前記隠蔽用紙片には前記折目線と対向する端縁から所定巾だけ前記折目線側に寄った位置に前記端縁に沿って、開封用ミシン目が形成され、前記隠蔽用紙片上に、前記折目線にて二つ折りされ内側となる面には、前記折目線と前記開封用ミシン目との間の領域に剥離可能に接着される弱粘着剤層が形成され、前記折目線と対向する端縁と前記開封用ミシン目との間の領域に剥離不能に接着される強粘着剤層が形成され、前記弱粘着剤層と前記強粘着剤層を覆って剥離紙が貼着された構成からなる隠蔽葉書であって、前記開封用ミシン目が、間欠した切目からなり、該切目が、開封方向と同一方向の直線部と、該直線部の一方の端より前記強粘着剤層側から前記弱粘着剤層側に向かい前記直線部に対して鈍角で斜めに延びた斜線部とからなり、前記切目の前記直線部の他方の端が、隣接する前記切目の前記斜線部の先端と一致するか若しくは少なくとも突き出るように形成され、開封方向が、前記切目の前記斜線部から前記直線部に向かう方向となるようにして前記強粘着剤層から前記弱粘着剤層に向けて引張って開封することを特徴とする隠蔽葉書。
【発明の詳細な説明】
【技術分野】
【０００１】
本発明は、葉書の記入欄に記載された記載内容の機密性を確実に保持できる隠蔽葉書に関し、特に、郵送された葉書が受取り手に渡る前に、その葉書に記入された情報が第三者に盗み見られることを防止するとともに、受取り手が、開封しやすい隠蔽葉書に関するものである。
【背景技術】
【０００２】
従来、他人が通知情報を視認できないようにした隠蔽葉書としては、同サイズの葉書本体片並びに隠蔽用紙片が折畳み可能に接合されており、葉書本体片の内面に所定事項を記入する記入欄が設定されていると共に、隠蔽用紙片の内面に再剥離粘着剤が塗布され、その表面に剥離紙が貼着されている構成の隠蔽式葉書が知られている（例えば、特許文献１参照）。
【０００３】
しかしながら、上記の隠蔽式葉書では、例えば、顧客が金融機関等から隠蔽式葉書を持ち帰り、葉書本体片の内面側に印刷されている記入欄に所定の事項を記入し捺印を行った後に、隠蔽用紙片に貼着されている剥離紙を剥がして、隠蔽用紙片に塗布されている再剥離粘着剤により、葉書本体片の内面の記入欄を覆うように隠蔽用紙片を接着して単体葉書として投函した場合、隠蔽用紙片に塗布されている再剥離粘着剤は再接着性を有するため、葉書を配達する途中で第三者が隠蔽用紙片を剥離して記入内容を見ることができ、また、記入内容を見た後に再度隠蔽用紙片が接着されると第三者に見られたことが分からないので、機密性の保持が完全ではないという欠点を有している。
【０００４】
そこで、同じ大きさの葉書紙片と隠蔽紙片が折目線を介して折り曲げ可能に連接され、葉書紙片の内面には所定事項を記入する記入欄が設けられ、隠蔽紙片には折目線と対向する端縁から所定巾だけ内側に寄った位置にミシン目が形成され、隠蔽紙片の内面には、折目線とミシン目との間の領域に剥離可能に接着される弱粘着剤層が形成され、折目線と対向する端縁とミシン目との間の領域に剥離不能に接着される強粘着剤層が形成され、弱粘着剤層と強粘着剤層を覆って離型紙が貼着された構成からなる隠蔽葉書が提案されている（例えば、特許文献２参照）。特許文献２に開示された隠蔽葉書によって、隠蔽用紙を葉書紙片の記入欄を覆うように貼着することにより、記入欄に記載された記載内容を隠蔽することができるとともに、記載内容を隠蔽した葉書を投函し、配達中における取扱時においても、隠蔽紙片が葉書紙片から剥離してしまうおそれがなく、また、第三者が開封した場合には、開封した痕跡が残り、記入欄に記載された内容の機密性を確実に保持できるようになった。しかしながら、該開示された隠蔽葉書には開封用のミシン目に関する具体的な示唆はなく、隠蔽葉書の受取り手が隠蔽葉書をミシン目より開封する場合、勢いよく開封するとミシン目のアンカット部より紙剥けすることがあり開封しにくいという問題がある。
【特許文献１】特開平７−２１４９４７号公報
【特許文献２】特開２００５−２６２４４４号公報
【発明の開示】
【発明が解決しようとする課題】
【０００５】
本発明は、上記のような問題点に鑑み、隠蔽葉書の配達中等の取扱時においても、隠蔽紙片が葉書紙片から剥離してしまうおそれがなく、記入欄に記載された内容の機密性を保持でき、さらに郵送された隠蔽葉書の受取り手がミシン目より開封してもミシン目のアンカット部より紙剥けすることなく容易に開封できる隠蔽葉書を提供するものである。
【課題を解決するための手段】
【０００６】
上記課題を解決するために、請求項１記載の本発明の隠蔽葉書は、基紙の略中央に設けられた折目線を介して、葉書本体片と隠蔽用紙片とが折り曲げ可能に連接され、前記葉書本体片には前記折目線にて二つ折りされ内側となる面に所定事項を記入する記入欄が設けられ、前記隠蔽用紙片には前記折目線と対向する端縁から所定巾だけ前記折目線側に寄った位置に前記端縁に沿って、開封用ミシン目が形成され、前記隠蔽用紙片上に、前記折目線にて二つ折りされ内側となる面には、前記折目線と前記開封用ミシン目との間の領域に剥離可能に接着される弱粘着剤層が形成され、前記折目線と対向する端縁と前記開封用ミシン目との間の領域に剥離不能に接着される強粘着剤層が形成され、前記弱粘着剤層と前記強粘着剤層を覆って剥離紙が貼着された構成からなる隠蔽葉書であって、前記開封用ミシン目が、間欠した切目からなり、該切目が、開封方向と同一方向の直線部と、該直線部の一方の端より前記強粘着剤層側から前記弱粘着剤層側に向かい前記直線部に対して鈍角で斜めに延びた斜線部とからなり、前記切目の前記直線部の他方の端が、隣接する前記切目の前記斜線部の先端と一致するか若しくは少なくとも突き出るように形成され、開封方向が、前記切目の前記斜線部から前記直線部に向かう方向となるようにして前記強粘着剤層から前記弱粘着剤層に向けて引張って開封することを特徴とするものである。
【発明の効果】
【０００７】
本発明は、葉書本体片の内面に設けられた記入欄に所定の個人情報を記入後、強粘着剤層及び弱粘着剤層を覆っている剥離紙を剥がし、折目線にて隠蔽用紙片を折り曲げて葉書本体片に貼付することにより葉書本体片に記入された個人情報を隠蔽することができる。また、隠蔽用紙片の折目線と対向する端縁と開封用ミシン目との間の領域に形成された強粘着剤層により剥離不能に接着されるので、隠蔽葉書の配達中等の取扱時に隠蔽紙片が剥離されることがなく、葉書本体片に記入された内容の機密性が保持されるものである。
【０００８】
また、隠蔽紙片に形成された開封用ミシン目が、間欠した切目からなり、該切目が、開封方向と同一方向の直線部と、該直線部の一方の端より前記強粘着剤層側から前記弱粘着剤層側に向かい前記直線部に対して鈍角で斜めに延びた斜線部とからなり、前記切目の前記直線部の他方の端が、隣接する前記切目の前記斜線部の先端と一致するか若しくは少なくとも突き出るように形成されており、隠蔽葉書の受取り手側では、開封用ミシン目に沿って開封しても開封用ミシン目のアンカット部より紙剥けすることなく隠蔽用紙片を容易に切取ることができ、隠蔽用紙片の折目線と開封用ミシン目との間の領域に形成された弱粘着剤層により剥離可能に接着されているので隠蔽用紙片を剥離させ、葉書本体片に記入された内容を見ることができるという効果を奏する。さらに、開封用ミシン目をこのような構成とすることにより開封開始端には斜線部及び／又は直線部が存在することになり、その部分より容易に開封できるものである。
【発明を実施するための最良の形態】
【０００９】
以下図面を用いて、本発明の実施形態について説明する。
図１は本発明に係る隠蔽葉書の一実施形態を示す内側から見た平面図、図２は図１のＸ−Ｘ線断面図、図３は本発明に係る隠蔽葉書の一実施形態の外側から見た平面図及び開封用ミシン目の部分拡大図、図４は本発明に係る隠蔽葉書の一実施形態の記入欄に所定事項を記入し隠蔽用紙片を接着して記入欄を隠蔽した状態を示す平面図で、（イ）は葉書本体片側から見た平面図、（ロ）は隠蔽用紙片側から見た平面図である。図中の符号１は隠蔽葉書、１’は折畳み接着された隠蔽葉書、２は基紙、３は折目線、４は剥離不能部、１０は葉書本体片、１１は記入欄、１２は郵便番号欄、１３は宛名欄、２０は隠蔽用紙片、２１は開封用ミシン目、２２は開封口、２３は弱粘着剤層、２４は強粘着剤層、２５は剥離紙、２６は切欠き、２７は情報表示部、３０はアンカット部、３１は直線部、３１ａは直線部の一方の端、３１ｂは直線部の他方の端、３２は斜線部、３２ａは斜線部の先端、Ｚは重なり部をそれぞれ示す。
【００１０】
まず、図１、図２、図３を用いて本発明の一実施形態について説明する。本発明の隠蔽葉書の内側から見た平面図を図１に外側から見た平面図を図３に示し、断面図を図２に示す。図１、図２に示すように本発明の隠蔽葉書１は、基紙２の略中央に設けられたミシン目からなる折目線３を介して、葉書本体片１０と隠蔽用紙片２０とが折り曲げ可能に連接されている。
【００１１】
そして、葉書本体片１０の折目線３にて二つ折りされ内側となる面には、所定事項を記入する記入欄１１が設けられている。また、隠蔽用紙片２０には折目線３と対向する端縁から所定巾だけ折目線３側に寄った位置に端縁に沿って、開封用ミシン目２１が形成されると共に開封用ミシン目２１の下端縁に開封口２２（図３参照）が設けられており、図２に示すように隠蔽用紙片２０上に、折目線３にて二つ折りされ内側となる面には、折目線３と開封用ミシン目２１との間の領域に弱粘着剤層２３が形成され、折目線３と対向する端縁と開封用ミシン目２１との間の領域に強粘着剤層２４が形成され、弱粘着剤層２３と強粘着剤層２４を覆って剥離紙２５が貼着されており、剥離紙２５の折目線３側の下端縁に切欠き２６が設けられている構成となっている。さらに、剥離紙２５の表面には葉書本体片１０に設けられた記入欄１１の記入方法や隠蔽葉書１の使用説明や剥離紙２５の剥離箇所等が印刷されている。
【００１２】
図３に示すように、葉書本体片１０の外側面には、郵便番号欄１２や宛名欄１３等が印刷され、隠蔽用紙片２０の外側面には、情報表示部２７が設けられ情報が印刷されている。さらには、葉書本体片１０の記入欄１１に記載された情報が透けて第三者に読み取られないようにベタ印刷や地紋印刷等が施されている。尚、ベタ印刷や地紋印刷等は隠蔽用紙片２０の内側面に施してもよい。
【００１３】
次に、図３を用いて本発明の要部について説明する。図３に示すように、隠蔽用紙片２０の折目線３と対向する端縁から所定巾だけ折目線３側に寄った位置に該端縁に沿って開封用ミシン目２１が形成されている。該開封用ミシン目２１は、部分拡大図に示すように切目と次の切目の間に切目のないアンカット部３０を介して間欠した切目からなり、該切目が、開封方向（矢印で示す方向）と同一方向の直線部３１と、直線部３１の一方の端３１ａより強粘着剤層２４側から弱粘着剤層２３側に向かい直線部３１に対して鈍角で斜めに延びた斜線部３２とからなり、切目の直線部３１の他方の端３１ｂが、隣接する切目の斜線部３２の先端３２ａよりも少なくとも突き出るように重なり部Ｚが形成され、配置されている。尚、重なり部ＺはＺ＝０であってもよい。このような構成にすることにより、隠蔽葉書の受取り手側では、開封口２２より開封用ミシン目２１に沿って斜線部３２から直線部３１に向かう方向（図３では下から上の方向）に強粘着剤層２４側から弱粘着剤層２３側に向けて隠蔽用紙片２０を引張っても開封用ミシン目２１のアンカット部３０より紙剥けすることなく容易に切取ることができ、隠蔽用紙片２０の折目線３と開封用ミシン目２１との間の領域に形成された弱粘着剤層２３により剥離可能に接着されているので隠蔽用紙片２０を剥離させ、葉書本体片１０の記入欄１１に記入された内容を見ることができる。さらに、開封用ミシン目２１の切目が重なり部Ｚが形成されるように配置されているために、開封口２２の端縁には斜線部３２又は直線部３１、あるいは、斜線部３２及び直線部３１が存在することになり、その部分より容易に開封できる。尚、開封口２２は切欠きを設けて形成することもできる。
【００１４】
次に、図１、図４を用いて本発明の隠蔽葉書１を使用する手順について説明する。まず、隠蔽葉書１の利用者は、図１にに示すように葉書本体片１０に設けられた記入欄１１に個人情報等の必要事項を記入する。その後、剥離紙２５に設けられた切欠き２６より剥離紙２５を剥離し、弱粘着剤層２３及び強粘着剤層２４を露出させ、折目線３で隠蔽用紙片２０を折畳み葉書本体片１０に設けられた記入欄１１に重ね合わせて接着することにより図４に示すように記入欄１１が隠蔽される。そして、折畳み接着された隠蔽葉書１’をそのまま投函すればよい。
【００１５】
投函された折畳み接着された隠蔽葉書１’は区分けされ受取り手側に配達される。折畳み接着された隠蔽葉書１’は葉書本体片１０の端部と隠蔽用紙片２０の端部が強粘着剤層２４を介して剥離不能に接着されて剥離不能部４を形成しているために隠蔽葉書の郵送中に葉書本体片１０と隠蔽用紙片２０が剥離して記入欄１１が露出することがなく、記入された内容の機密性を保持できるものである。
【００１６】
次に、この折畳み接着された隠蔽葉書１’を受取った受取り手は、隠蔽用紙片２０に設けられた開封口２２より隠蔽用紙片２０を指で摘み開封用ミシン目２１に沿って下から上の方向に強粘着剤層２４側から弱粘着剤層２３側に向けて隠蔽用紙片２０を引張ってアンカット部３０より紙剥けすることなく容易に切取ることができ、隠蔽用紙片２０の折目線３と開封用ミシン目２１との間の領域に形成された弱粘着剤層２３により剥離可能に接着されているので隠蔽用紙片２０を剥離させて開封し見開き状態にすることにより、葉書本体片１０の記入欄１１に記入された内容等を視認できる。また、ミシン目からなる折目線３に沿って、隠蔽用紙片２０を切離し、葉書本体片１０を保管することができる。尚、折目線３は折罫であってもよい。
【００１７】
本発明の隠蔽葉書１において、弱粘着剤層２３による葉書本体片１０と隠蔽用紙片２０との接着強度は１００ｍｍ巾での剥離強度が２０〜２００ｇとするのが好ましく、弱粘着性の粘着剤組成物を１〜２０ｇ／ｍ2 程度の塗布量で塗布される。強粘着剤層２４により葉書本体片１０と隠蔽用紙片２０とを剥離不能に接着した剥離不能部４は強粘着性の粘着剤組成物を使用して５〜３０ｇ／ｍ2 程度に塗布するのが適当である。剥離不能部４における葉書本体片１０と隠蔽用紙片２０との接着強度としては、紙剥けして剥離不能となることが必要である。弱粘着剤層２３及び強粘着剤層２４を形成するための粘着剤組成物としてはいずれもエマルジョンタイプのものが使用できる。
【００１８】
剥離紙２５は、紙等の基材層に例えば、アクリル樹脂やシリコーン樹脂を塗布して熱や紫外線等で硬化させた剥離層を設けたものを使用することができる。
【００１９】
実施例で作製した隠蔽葉書１について、剥離紙２５に設けられた切欠き２６より剥離紙２５を剥離し、弱粘着剤層２３及び強粘着剤層２４を露出させ、折目線３で隠蔽用紙片２０を折畳み葉書本体片１０に設けられた記入欄１１に重ね合わせて接着して、折畳み接着された隠蔽葉書１’を作製した後、開封口２２より開封用ミシン目に沿って、開封し開封性を評価した。基紙に上質紙、コート紙、再生紙を用いた隠蔽葉書のいずれも、アンカット部３０より紙剥けすることなく、容易に切取ることができ、隠蔽用紙片２０を剥離させて開封し見開き状態にできた。
【図面の簡単な説明】
【００２０】
【図１】本発明に係る隠蔽葉書の一実施形態を示す内側から見た平面図である。
【図２】図１のＸ−Ｘ線断面図である。
【図３】本発明に係る隠蔽葉書の一実施形態の外側から見た平面図及び開封用ミシン目の部分拡大図である。
【図４】本発明に係る隠蔽葉書の一実施形態の記入欄に所定事項を記入し隠蔽用紙片を接着して記入欄を隠蔽した状態を示す平面図である。
【符号の説明】
【００２１】
１                                    隠蔽葉書
１’                                  折畳み接着された隠蔽葉書
２                                    基紙
３                                    折目線
４                                    剥離不能部
１０                                    葉書本体片
１１                                    記入欄
１２                                    郵便番号欄
１３                                    宛名欄
２０                                    隠蔽用紙片
２１                                    開封用ミシン目
２２                                    開封口
２３                                    弱粘着剤層
２４                                    強粘着剤層
２５                                    剥離紙
２６                                    切欠き
２７                                    情報表示部
３０                                    アンカット部
３１                                    直線部
３１ａ                                  直線部の一方の端
３１ｂ                                  直線部の他方の端
３２                                    斜線部
３２ａ                                  斜線部の先端
Ｚ                                      重なり部
【図１】
2008073970.tif 000003
【図２】
2008073970.tif 000004
【図３】
2008073970.tif 000005
【図４】
2008073970.tif 000006